(57)【要約】【課題】ディスクが載置されるトレイとヘッドユニットなどが配置されるピックアップベースとの間のクリアランスを略一定に保つようにすることで、該クリアランスを小さくし、光ディスク装置の薄型化を図る。【解決手段】ディスクを回転駆動するスピンドルモータ１３とディスクに対し情報の記録又は再生を行うヘッドユニット１４が配置されたピックアップベース４が、メインシャーシ８に対し片持ち状態でインシュレータ１１を介して揺動可能に支持されるディスクローディング装置において、ピックアップベース４に形成された規制部材４３とメインシャーシ８に形成された規制部４４からなる規制手段をピックアップベース４の揺動支点の後方に設け、ピックアップベース４が非クランプ位置に移動したときのピックアップベース４の浮き上がりを規制する。【選択図】  図８
2005158120.tif 000002
【特許請求の範囲】
【請求項１】
ディスクを回転駆動するモータとディスクに対し情報の記録又は再生を行うヘッドユニットが配置された可動ベースが、固定ベースに対し片持ち状態で弾性部材を介して揺動可能に支持されるディスクローディング装置において、
前記可動ベースの揺動支点の後方に前記可動ベースが非クランプ位置に移動したときの前記可動ベースの浮き上がりを規制する規制手段を設けたことを特徴とするディスクローディング装置。
【請求項２】
前記規制手段が、前記可動ベースの後端部に設けられることを特徴とする請求項１記載のディスクローディング装置。
【請求項３】
前記規制手段が、前記可動ベースと一体的に形成された規制部材と、前記固定ベースに形成された規制部とからなり、前記可動ベースがクランプ位置に移動したときに前記規制部材が前記規制部から離間されることを特徴とする請求項１又は２記載のディスクローディング装置。
【発明の詳細な説明】
【技術分野】
【０００１】
本発明は、ＣＤやＤＶＤ等のディスク状の記録媒体（以後、ディスクという）に対し情報の記録あるいは再生を行うディスク装置に適用されるディスクローディング装置に関するものである。
【背景技術】
【０００２】
近年、ノート型のパーソナルコンピュータ（以後、パソコンという）の普及に伴い、パソコン本体の小型化、薄型化が進んでおり、それに合わせるようにＣＤやＤＶＤ等のディスクを駆動する光ディスク装置も小型化、薄型化が進んでいる。また、デスクトップ型パソコンも例外ではなく、空間の有効利用というエンドユーザの要望に合わせて小型化が進んでおり、デスクトップ型パソコンで主流であったハーフハイトドライブと呼ばれる光ディスク装置の更なる小型化が要求されている。
【０００３】
光ディスク装置の薄型化を図るためのディスクローディング装置として、回転軸がトレイの進退方向と平行となるようにローディングモータを配置し、その回転をトレイに伝達するようにするとともに、スピンドルモータやヘッドユニットを支持するピックアップベースをインシュレータを介してメインシャーシに支持し、ピックアップベースをインシュレータを支点として回動するようにしたディスクローディング装置が提案されている（例えば、特許文献１参照）。
【０００４】
このディスクローディング装置は、図９に示すように、回転軸がトレイ１０１の進退方向と平行となるように配置されたローディングモータ１０２、ローディングモータ１０２の回転軸に固着されたモータプーリ１０３、ローディングモータ１０２の回転軸と直交する回転軸を有し、モータプーリ１０３に圧接されるローディングプーリ１０４、中間ギア１０５、及び駆動ギア１０６で構成されている。ローディングプーリ１０４、中間ギア１０５、及び駆動ギア１０６は、メインシャーシ１０８に回転自在に支持されており、ローディングプーリ１０４の回転が中間ギア１０５を介して駆動ギア１０６に伝達されるようになされている。
【０００５】
また、メインシャーシ１０８には、光ディスクの載置部１０９を有するトレイ１０１がガイド１１０により移動自在に支持されている。このトレイ１０１の内側面にはラック１０７が形成されており、駆動ギア１０６と噛合するようになされている。
【０００６】
ローディングモータ１０２を回転させると、その回転が、モータプーリ１０３、ローディングプーリ１０４、中間ギア１０５、駆動ギア１０６を介してラック１０７に伝達され、トレイ１０１がメインシャーシ１０８に対して移動される。これにより、トレイ１０１の載置部１０９に載置した光ディスクを光ディスク装置の本体内部の記録再生位置にローディングしたり、前記記録再生位置から光ディスクの着脱可能位置にアンローディングしたりすることができる。
【０００７】
また、メインシャーシ１０８に形成された開口部１０８ａには、ピックアップベース１１１が配置されており、ピックアップベース１１１は、メインシャーシ１０８に対してインシュレータ１１２，１１３を介して支持されている。ピックアップベース１１１には、回転軸にターンテーブル１１４が固定されたスピンドルモータ（図示せず）が固定されており、その近傍には光ディスクに対し情報の記録又は再生を行うための光ピックアップを主体とするヘッドユニット１１５が配置されている。ヘッドユニット１１５は、ターンテーブル１１４を中心とする半径方向に伸びた２本のガイドシャフト１１６，１１７に案内されてピックアップベース１１１上を移動可能に支持されている。
【０００８】
更に詳細に説明すると、ピックアップベース１１１は、図１０及び図１１に示すように、メインシャーシ１０８に対し片持ち状態で揺動可能に支持されており、ピックアップベース１１１の後端部がインシュレータ１１３を介してメインシャーシ１０８にネジ固定され、ピックアップベース１１１の前端部がメインシャーシ１０８に回動自在に支持されている回動板１１８にインシュレータ１１２を介してネジ固定されるフローティング構造となっている。
【０００９】
回動板１１８は、回動軸１１８ａを中心としてトレイ１０１の移動方向に対し垂直な方向に回動するように支持されている。また、回動板１１８には、駆動ギア１０６に形成されたカム（図示せず）に嵌合する嵌合ピン１１８ｂが設けられており、駆動ギア１０６の回転に伴って、回動板の嵌合ピン１１８ｂが駆動ギアのカムに案内されることにより、回動するようになされている。
【００１０】
トレイ１０１が光ディスクの着脱を可能とするアンローディング位置にあるときには、図１０に示すように、回動板の嵌合ピン１１８ｂが駆動ギアのカムに案内されて回動板１１８が時計方向（図中Ｂ方向）に回動しているため、回動板１１８によってピックアップベース１１１の前端部が押し下げられ、ピックアップベース１１１は後端部のインシュレータ１１３を支点として反時計方向（図中Ｂ方向）に回動して非クランプ位置に退避している。
【００１１】
一方、トレイ１０１が光ディスクに対し情報の記録再生を可能とするローディング位置にあるときには、図１１に示すように、回動板の嵌合ピン１１８ｂが駆動ギアのカムに案内されて回動板１１８が反時計方向（図中Ａ方向）に回動するため、回動板１１８によってピックアップベース１１１の前端部が押し上げられ、ピックアップベース１１１は後端部のインシュレータ１１３を支点として時計方向（図中Ａ方向）に回動してクランプ位置に移動する。ターンテーブル１１１が光ディスクをクランプするクランプ位置に到達すると、ターンテーブル１１４が光ディスク１１９の中心孔と嵌合し、光ディスク１１９をトレイ１０１から上方（図中Ａ方向）へ離間させることにより、ターンテーブル１１４と該ターンテーブルの上方に配置されているクランパ１２０とで光ディスク１１９の中心孔部分を狭持してクランプする。
【特許文献１】特開平５−２６６５６５号公報
【発明の開示】
【発明が解決しようとする課題】
【００１２】
ところが、図９乃至図１１に示すピックアップベース１１１の支持構造の場合、ピックアップベース１１１がメインシャーシ１０８に対しインシュレータ１１３を介して片持ち支持され、ピックアップベース１１１がインシュレータ１１３を支点として揺動するフローティング構造であることから、ピックアップベース１１１が非クランプ位置に移動、即ち、反時計方向に回動したとき、インシュレータ１１３の反力によりピックアップベース１１１の支点部分が浮き上がるという現象が発生する。即ち、ピックアップベース１１１が非クランプ位置に退避するときは、インシュレータ１１３に歪みが発生するため、その反力が図中Ａ方向に向かって発生し、ピックアップベース１１１の回動に伴いインシュレータ１１３の歪みが徐々に大きくなると、その反力によってピックアップベース１１１の回動支点が徐々に押し上げられていくことになる。
【００１３】
図１２（ａ）は、ピックアップベース１１１がクランプ位置にあるときのインシュレータ１１３の状態を示しており、メインシャーシ１０８に対するピックアップベース１１１の取付位置Ｍからピックアップベース１１１の頂部Ｔまでの高さをＨとする。図１２（ｂ）に示すように、ピックアップベース１１１が非クランプ位置に移動すると、ピックアップベース１１１の支点部分がインシュレータ１１３の歪みによる反力により押し上げられるため、前記取付位置Ｍから頂部Ｔ’までの高さはＨ＋Δｈとなり、Δｈだけピックアップベース１１１の端部が上方に突出してしまう。図９乃至図１１に示すディスクローディング装置では、インシュレータ１１３の反力によるピックアップベース１１１の浮き上がり量を考慮してトレイ１０１に対するピックアップベース１１１の配設位置を決めなければならず、トレイ３とピックアップベース１１１との間に大きなクリアランスが必要となることから、必然的に光ディスク装置全体の厚みが増し、小型化が困難になるという課題があった。
【００１４】
本発明は、かかる従来の問題に鑑みなされたものであり、トレイとピックアップベースとの間のクリアランスを略一定に保つことで小さくし、光ディスク装置を薄型化できるようにするディスクローディング装置を提供するものである。
【課題を解決するための手段】
【００１５】
そこで、本発明は、以下に述べる各手段により上記課題を解決するようにした。即ち、請求項１記載の発明では、ディスクを回転駆動するモータとディスクに対し情報の記録又は再生を行うヘッドユニットが配置された可動ベースが、固定ベースに対し片持ち状態で弾性部材を介して揺動可能に支持されるディスクローディング装置において、前記可動ベースの揺動支点の後方に前記可動ベースが非クランプ位置に移動したときの前記可動ベースの浮き上がりを規制する規制手段を設けるようにする。
【００１６】
また、請求項２記載の発明では、前記請求項１記載の発明において、規制手段を可動ベースの後端部に設けるようにする。
【００１７】
また、請求項３記載の発明では、前記請求項１乃至請求項２記載の発明において、規制手段を、可動ベースと一体的に形成された規制部材と、固定ベースに形成された規制部とで構成し、可動ベースがクランプ位置に移動したときに前記規制部材を前記規制部から離間されるようにする。
【発明の効果】
【００１８】
請求項１記載の発明によれば、可動ベースの揺動支点の後方に可動ベースが非クランプ位置に移動したときの可動ベースの浮き上がりを規制する規制手段を設けたので、可動ベースが揺動支点を中心に回動して非クランプ位置に移動する際に、規制手段によって可動ベースの浮き上がりが抑制されるため、トレイと可動ベースの間のクリアランスを略一定に保持することが可能となり、該クリアランスを小さくすることができる。よって、光ディスク装置を薄型化することができる。
【００１９】
また、請求項２記載の発明によれば、規制手段を可動ベースの後端部に設けるようにしたので、可動ベースが非クランプ位置に移動する際に発生する可動ベースの浮き上がり現象の影響を最も受けやすい後端部の高さ位置を規制手段によって規制することができるので、トレイと可動ベースの間のクリアランスを確実に小さくすることができる。よって、光ディスク装置を薄型化することができる。
【００２０】
また、請求項３記載の発明によれば、規制手段を可動ベースと一体的に形成された規制部材と固定ベースに形成された規制部とで構成し、可動ベースがクランプ位置に移動したときに規制手段が規制部から離間するようにしたので、クランプ位置において可動ベースをフローティング状態にすることが可能になり、弾性部材による振動の減衰効果を確実に得ることができる。
【発明を実施するための最良の形態】
【００２１】
ディスクを回転駆動するモータとディスクに対し情報の記録又は再生を行うヘッドユニットが配置された可動ベースが、固定ベースに対し片持ち状態で弾性部材を介して揺動可能に支持されるディスクローディング装置において、前記可動ベースの揺動支点の後方、望ましくは可動ベースの後端部に前記可動ベースが非クランプ位置に移動したときの前記可動ベースの浮き上がりを規制する規制手段を設けるようにする。
【実施例】
【００２２】
以下、本発明の一実施例を図１乃至図７に基づいて説明する。
【００２３】
図１は本発明を実施した光ディスク装置であり、図２はその背面図である。図１に示す光ディスク装置では、説明の都合上、トレイを光ディスク装置本体からはずした状態を示している。光ディスク装置１は、光ディスク装置本体２とトレイ３に大別でき、光ディスク装置本体２には、ピックアップベース４、ディスクローディング装置５、及びディスククランプ機構６が内設され、光ディスク装置本体２の後端部には、インターフェースや電源などの各種コネクタ７が配設される。
【００２４】
ピックアップベース（可動ベース）４は、図３に示すように、ディスククランプ機構６の昇降ベース２１とともにメインシャーシ（固定ベース）８の開口部８ａに配設されており、ピックアップベース４の前端部分に形成された２カ所の保持片９がインシュレータ（弾性部材）１１を介して昇降ベース２１にネジ固定され、後端部分に形成された２カ所の保持片１０がインシュレータ１１を介してメインシャーシ８にネジ固定されるフローティング構造となっている。また、ピックアップベース４は、インシュレータ１１を支点として揺動可能なように昇降ベース２１を介して片持ち状態に支持されており、その後端部には、ピックアップベース４の揺動時の浮き上がり（高さ位置）を規制するための規制部材４３が形成され、メインシャーシ８に形成された規制部４４と係合可能とされている。昇降ベース２１は、ピックアップベース４とともに片持ち状態で揺動可能に支持されており、前端部分がディスククランプ機構６のスライドプレート２２によって支軸１２を中心に昇降可能なように支持されている。ピックアップベース４には、スピンドルモータ１３が固定されており、その近傍には光ピックアップを主体とするヘッドユニット１４が配設されている。
【００２５】
スピンドルモータ１３の駆動軸にはターンテーブル１５が固定されており、ターンテーブル１５がローディングされたとき、ピックアップベース４が上昇し、ターンテーブル１５と光ディスク装置１のカバー部材１６に配設されたディスククランパ１７とで光ディスクの中心孔部分を狭持してクランプすることにより、回転力を伝達するようにしている。
【００２６】
一方、ヘッドユニット１４は、図２に示すように、スピンドルモータ１３を中心とする半径方向に伸びた２本のガイドシャフト１８，１９に案内されて移動可能であり、送りモータ２０によって駆動されるスクリューシャフト（図示せず）のリード溝によって移動し、光ディスクに対する情報の記録再生を行うようにしている。
【００２７】
ディスクローディング装置５は、メインシャーシ８にピックアップベース４と並設されており、主にローディングモータ２３、シャフト２４、及び駆動ギア２５で構成され、ローディングモータ２３の回転軸にはモータギア２６が固定されており、シャフト２４の一端には、モータギア２６と噛合する伝達ギア２７が固定され、他端にはウォームギア２８が固定されている。ウォームギア２８はメインシャーシ表面側に配置されている駆動ギア２５に噛合しており、該駆動ギアはトレイ３の裏面に形成されたラックギア２９に噛合している。ローディングモータ２３は光ディスク装置１の後方側に配設されており、ローディングモータ２３の駆動力は、ギア２６、ギア２７、シャフト２４、ウォームギア２８を介して光ディスク装置１の前方側に伝達され、駆動ギア２５を介してトレイ３に伝達される。
【００２８】
ローディングモータ２３は、光ディスク装置１の後方側に配設されており、図４に示すように、光ディスク装置１に対しトレイ３がローディング位置にあるとき、トレイ３の移動方向に平行な水平面において、光ディスクの載置部３８とローディングモータ２３の本体がオーバーラップしない位置であり、図５に示すように、前記水平面に直交する垂直面において、トレイ３とローディングモータ２３の本体がオーバーラップする位置であるという２つの条件を満たすように配置されている。この配置条件を満たすことによって、ローディングモータ２３を光ディスクの載置部３８に干渉させることなくトレイ３の表面側に偏倚させて配置することができることから、光ディスク装置を薄型化することができる。
【００２９】
シャフト２４は、モータギア２６及び伝達ギア２７を使用することによって、ローディングモータ２３の回転軸上からやや下方に離れた位置に配設されており、メインシャーシ８の背面側を通るように配置されている。このように配置することによって、駆動ギア２５の高さ位置を低く抑えるようにしている。故に、光ディスク装置の更なる薄型化を図ることができる。なお、シャフト２４は、その一端に固定される伝達ギア２７がローディングモータ２３の直径から逸脱しない範囲において配置すれば、光ディスク装置の高さ方向に影響を与えることはない。
【００３０】
駆動ギア２５は、ピニオンギアが形成された大径の第１のギア２５ａと、ノーマルギアが形成された小径の第２のギア２５ｂが積層された積層ギアを形成しており、第１のギア２５ａがシャフト２４の一端に固定されるウォームギア２８に噛合し、第２のギア２５ｂがトレイ３の裏面に形成されたラックギア２９に噛合している。駆動ギア２５は、第２のギア２５ｂの一部がメインシャーシ８の表面側に突出してトレイ３のラックギア２９と噛合するように配置されており、第１のギア２５ａがメインシャーシ８の背面側を通るように配置されたシャフト２４に固定されたウォームギア２８に噛合することにより、高さ位置が低く抑えられている。また、駆動ギア２５は、光ディスク装置１の前方側に配設されており、図６に示すように、光ディスク装置１に対しトレイ３がアンローディング位置にあるとき、トレイ３の移動方向に平行な水平面において、光ディスクの載置部３８と駆動ギア２５がオーバーラップしないように配置されている。
【００３１】
ディスククランプ機構６は、上述した昇降ベース２１とスライドプレート２２で構成され、光ディスク装置１の前方寄りのメインシャーシ８上に配設される。昇降ベース２１は、前述の通りピックアップベース４とともに片持ち状態で支軸１２を中心に揺動可能に支持されており、前端部に２本の支持ピン３２が突設されている。スライドプレート２２は、水平面２２ａと垂直面２２ｂからなるくの字状に形成されたプレートであり、トレイの移動方向と直交する方向にスライド可能なようにメインシャーシ８に支持されている。スライドプレート２２の水平面２２ａ上には、トレイ３の裏面に形成された第１のガイド溝３０と係合するガイドピン３３と、同じくトレイ３の裏面に形成された第２のガイド溝３１と係合するガイドピン３４が立設されている。また、水平面２２ａの一端には、ラックギア３５が形成されている。一方、スライドプレート２２の垂直面２２ｂには、２本の昇降ガイド溝３６が形成されており、昇降ベース２１に設けられた２本の支持ピン３２とそれぞれ係合している。スライドプレート２２は、トレイ３の移動に伴い、ガイドピン３３と３４が、それぞれ第１のガイド溝３０と第２のガイド溝３１に案内され、トレイ３がローディング位置に到達する直前にラックギア３５がディスクローディング装置の駆動ギア２５と噛合することによって、ローディングモータ２３の駆動力がスライドプレート２２に伝達され、スライドプレート２２がローディング方向（図中Ｃ方向）にスライドする。そして、スライドプレート２２のスライドに伴い、昇降ベース２１の支持ピン３２がスライドプレート２２の垂直面２２ｂに形成された昇降ガイド溝３６によって案内され、ピックアップベース４が昇降する。
【００３２】
トレイ３は、メインシャーシ８の側壁に形成されたガイド片３７により移動自在に支持されている。トレイ３の表面には、光ディスクを載置するための凹形状をした載置部３８が形成されており、ターンテーブル１５が位置する載置部３８の略中央からヘッドユニットの移動範囲において穿設孔３９が形成されている。トレイ３の裏面には、上述の通り、ラックギア２９、第１のガイド溝３０、及び第２のガイド溝３１が形成されている。また、トレイ３の前端部中央には、載置部３８に載置される光ディスクを保持するための保持部材４０が配設されており、線バネ４１によってローディング方向（図中Ｂ方向）に付勢されている。保持部材４０は、トレイ３がローディング位置に到達すると、メインシャーシ８に配設された解除部材４２によってアンローディング方向（図中Ａ方向）に押圧され、載置部３８に載置された光ディスクの保持を解除する。なお、解除部材４２は、光ディスク装置１が操作不能状態になったときに手動で光ディスクの取り出しを行うためのイマージェンシー機能を兼ねており、緊急時に解除部材４２を装置外から操作することによって、解除部材４２を図中Ｂ方向に移動させ、解除部材４２と係合するスライドプレートを強制的にアンローディング方向（図中Ｄ方向）にスライドさせる。この操作によってトレイ３がアンローディング方向（図中Ａ方向）に突出し、手動でのトレイ３の引き出しが可能になる。
【００３３】
ここで、ピックアップベース４の昇降動作について図７及び図８に基づき詳細に説明する。ピックアップベース４は、スライドプレート２２に形成されたラックギア３５がディスクローディング装置の駆動ギア２５と噛合することによって、ローディングモータ２３の駆動力がスライドプレート２２に伝達され、スライドプレート２２がローディング方向（図中Ｃ方向）あるいはアンローディング方向（図中Ｄ方向）にスライドし、スライドプレート２２のスライドに伴い、昇降ベース２１の支持ピン３２がスライドプレート２２の垂直面２２ｂに形成された昇降ガイド溝３６によって案内されることによって昇降されることは上述の通りである。
【００３４】
図７（ａ）に示すように、トレイ３が光ディスクに対し情報の記録再生を可能とするローディング位置にあり、ピックアップベース４が昇降ベース２１により持ち上げられて光ディスクをクランプするクランプ位置にあるときには、ピックアップベース４は光ディスク装置に対して水平状態にあるため、ピックアップベース４の後端部に形成された規制部材４３とメインシャーシ８に形成された規制部４４は離間している。また、ピックアップベース４とメインシャーシ８との間に介在するインシュレータ１１は、図８（ａ）に示すように、歪みが発生せず、ピックアップベース４の適切なフローティング状態を保っている。
【００３５】
ローディングモータ２３によって駆動ギア２５が駆動され、スライドプレート２２がスライドを開始すると、昇降ベース２１の支持ピン３２がスライドプレート２２に形成されている昇降ガイド溝３６によって案内され、昇降ベース２２が支軸１２を中心に時計方向（図中Ｅ方向）に回動するとともに、ピックアップベース４が保持片１０のインシュレータ１１を中心に同じく時計方向に回動する。昇降ベース２２の回動に伴い、ピックアップベース４が所定量回動すると、図７（ｂ）に示すように、ピックアップベース４に形成された規制部材４３がメインシャーシに形成された規制部４４に当接する。このとき、ピックアップベース４の回動支点となっているインシュレータ１１は、ピックアップベース４に形成されている保持片１０によって、インシュレータ１１の下半分（保持片１０とメインシャーシ８との間に介在する部分）が下方に歪められるが、同時に反力が発生するため、図８（ｂ）に示すように、ピックアップベース４の後端部分を浮き上がらせるように作用する。従って、インシュレータ１１の上半分（保持片１０とネジ４５のネジ受け４６との間に介在する部分）と下半分のバランスが維持されている。
【００３６】
図７（ｂ）に示す状態から更にスライドプレート２２がスライドし、昇降ベース２２が時計方向（図中Ｅ方向）に回動すると、それに伴ってピックアップベース４も時計方向に回動するが、ピックアップベース４の規制部材４３とメインシャーシの規制部４４からなる規制手段によって、ピックアップベース４の後端部の回動（浮き上がり）が規制されることから、ピックアップベース４の回動支点（揺動支点）が保持片１０のインシュレータ１１から規制部材４３と規制部４４の当接点Ｐに移動し、保持片１０のインシュレータ１１は作用点に変化する。即ち、ピックアップベース４が図７（ｂ）に示す位置から図７（ｃ）に示す非クランプ位置に移動するときには、ピックアップベース４の保持片９のインシュレータ１１が力点となり、当接点Ｐを支点としてピックアップベースが時計方向に回動することになるので、作用点となる保持片１０のインシュレータ１１は、図８（ｃ）に示すように、その下半分が保持片１０によって圧縮される。従って、インシュレータ１１の下半分が保持片１０によって圧縮されることにより発生する反力によって、ピックアップベース４の規制部材４３がメインシャーシ８の規制部４４に押しつけられ、ピックアップベース４の浮き上がり現象が抑制されるのである。
【００３７】
以上の説明から明らかなように、ピックアップベース４をクランプ位置から非クランプ位置に移動する際に、ピックアップベース４に形成された規制部材４３とメインシャーシ８に形成された規制部４４とからなる規制手段によってピックアップベース４の後端部の浮き上がり現象を抑制するようにしたので、ピックアップベース４の後端部の高さ位置を所定の高さ位置に規制することができ、トレイ３とピックアップベース４との間のクリアランスを小さくすることができる。故に、光ディスク装置を薄型化することができる。
【００３８】
また、ピックアップベース４の浮き上がり現象を抑制することにより、ピックアップベース４に支持されたターンテーブル１５の浮き上がり現象も抑制されるので、ピックアップベース４が非クランプ位置に移動し、トレイ３が前記ローディング位置と前記アンローディング位置の間を移動するときに、ターンテーブル１５を短いストロークで低位置に移動させ、保持することができる。故に、光ディスク装置を薄型化することができる。
【００３９】
なお、本発明は、上記実施例に限定されるものではなく、特許請求の範囲に記載の趣旨から逸脱しない範囲で各種の変形実施が可能である。
【００４０】
例えば、上記実施例では、ピックアップベース４の規制部材４３とメインシャーシ８の規制部４４からなる規制手段をピックアップベース４の後端部に設けたが、規制手段の配設位置は後端部に限定されるものではなく、ピックアップベース４の揺動支点の後方であればどこでもよい。即ち、ピックアップベース４がクランプ位置から非クランプ位置に移動する過程において、ピックアップベースの揺動支点が規制手段に移動し、本来の揺動支点が作用点に変化する位置であればよい。
【００４１】
また、上記実施例では、規制手段をピックアップベース４の規制部材４３とメインシャーシ８の規制部４４により構成したが、ピックアップベースに規制部材を形成することなく、メインシャーシに形成する規制部により、ピックアップベース本体の後端部を直接規制するようにしてもよく、規制方法が上記実施例に限定されるものではない。
【００４２】
また、上記実施例では、ピックアップベース４の規制部材４３とメインシャーシ８の規制部４４を、それぞれ一体形成したが、規制部材４３及び／又は規制部４４を別部材で形成し、それぞれピックアップベース４、メインシャーシ８、あるいは別部材に取り付けることによって一体的に形成するようにしてもよく、規制手段の形成方法が上記実施例に限定されるものではない。
【００４３】
また、本発明のディスクローディング装置の適用範囲は、光ディスク装置に限定されるものではない。
【図面の簡単な説明】
【００４４】
【図１】本発明の一実施例であるディスクローディング装置を適用した光ディスク装置の斜視図である。
【図２】本発明の一実施例であるディスクローディング装置を適用した光ディスク装置の背面図である。
【図３】本発明の一実施例であるディスクローディング装置を適用した光ディスク装置の分解斜視図である。
【図４】光ディスク装置に対するディスクローディング装置の配設位置を説明するための背面図である。
【図５】光ディスク装置に対するディスクローディング装置の配設位置を説明するための側面図である。
【図６】トレイがアンローディング位置にあるときのディスクローディング装置とトレイとの位置関係を説明するための平面図である。
【図７】ピックアップベースの動きを説明するための図であり、（ａ）はピックアップベースがクランプ位置にあるときの状態図、（ｂ）はピックアップベースが回動途中にあるときの状態図、（ｃ）はピックアップベースが非クランプ位置にあるときの状態図である。
【図８】ピックアップベースが揺動するときのピックアップベースの揺動支点と規制手段との関係を説明するための図であり、（ａ）はピックアップベースがクランプ位置にあるときの状態図、（ｂ）はピックアップベースが回動途中にあるときの状態図、（ｃ）はピックアップベースが非クランプ位置にあるときの状態図である。
【図９】従来のディスクローディング装置の例を示す平面図である。
【図１０】従来のディスクローディング装置におけるピックアップベースの非クランプ状態をを示す側断面図である。
【図１１】従来のディスクローディング装置におけるピックアップベースのクランプ状態を示す側断面図である。
【図１２】従来のディスクローディング装置におけるピックアップベースの浮き上がり現象を説明するための図であり、（ａ）はピックアップベースがクランプ位置にあるときの状態図、（ｂ）はピックアップベースが非クランプ位置にあるときの状態図である。
【符号の説明】
【００４５】
１・・・・・・・・・光ディスク装置
２・・・・・・・・・光ディスク装置本体
３・・・・・・・・・トレイ
４・・・・・・・・・ピックアップベース
５・・・・・・・・・ディスクローディング装置
６・・・・・・・・・ディスククランプ機構
７・・・・・・・・・コネクタ
８・・・・・・・・・メインシャーシ
９，１０・・・・・・保持片
１１・・・・・・・・インシュレータ
１２・・・・・・・・支軸
１３・・・・・・・・スピンドルモータ
１４・・・・・・・・ヘッドユニット
１５・・・・・・・・ターンテーブル
１６・・・・・・・・カバー部材
１７・・・・・・・・ディスククランパ
１８，１９・・・・・ガイドシャフト
２０・・・・・・・・送りモータ
２１・・・・・・・・昇降ベース
２２・・・・・・・・スライドプレート
２３・・・・・・・・ローディングモータ
２４・・・・・・・・シャフト
２５・・・・・・・・ピニオンギア
２６・・・・・・・・モータギア
２７・・・・・・・・伝達ギア
２８・・・・・・・・ウォームギア
２９・・・・・・・・ラックギア
３０・・・・・・・・第１のガイド溝
３１・・・・・・・・第２のガイド溝
３２・・・・・・・・支持ピン
３３，３４・・・・・ガイドピン
３５・・・・・・・・ラックギア
３６・・・・・・・・昇降ガイド溝
３７・・・・・・・・ガイド片
３８・・・・・・・・載置部
３９・・・・・・・・穿設孔
４０・・・・・・・・保持部材
４１・・・・・・・・線バネ
４２・・・・・・・・解除部材
４３・・・・・・・・規制部材
４４・・・・・・・・規制部
４５・・・・・・・・ネジ
４６・・・・・・・・ネジ受け
１０１・・・・・・・トレイ
１０２・・・・・・・ローディングモータ
１０３・・・・・・・モータプーリ
１０４・・・・・・・ローディングプーリ
１０５・・・・・・・中間ギア
１０６・・・・・・・駆動ギア
１０７・・・・・・・ラック
１０８・・・・・・・メインシャーシ
１０９・・・・・・・載置部
１１０・・・・・・・ガイド
１１１・・・・・・・ターンテーブルシャーシ
１１２，１１３・・・インシュレータ
１１４・・・・・・・ターンテーブル
１１５・・・・・・・ヘッドユニット
１１６，１１７・・・ガイドシャフト
１１８・・・・・・・回動板
１１９・・・・・・・光ディスク
１２０・・・・・・・クランパ
【図１】
2005158120.tif 000003
【図２】
2005158120.tif 000004
【図３】
2005158120.tif 000005
【図４】
2005158120.tif 000006
【図５】
2005158120.tif 000007
【図６】
2005158120.tif 000008
【図７】
2005158120.tif 000009
【図８】
2005158120.tif 000010
【図９】
2005158120.tif 000011
【図１０】
2005158120.tif 000012
【図１１】
2005158120.tif 000013
【図１２】
2005158120.tif 000014